(57)【要約】【課題】伝送ケーブルを抜去して運用回線を切り替える方法は、作業者が多重伝送装置に入力する伝送ケーブルを抜去して、伝送信号に障害信号を挿入するため、作業者が多重伝送装置を設置している局舎へ行って作業を実施する必要があった。また、ケーブル抜去の作業の人為的なミスやケーブル接続部にゴミ付着や故障の可能性があった。【解決手段】多数の伝送信号を一つの回線で伝送している多重伝送装置において、障害信号を前記伝送信号に挿入する強制障害挿入手段と、外部からの命令により前記強制障害挿入手段へ前記障害信号の挿入を指示する制御部とを備えている。【選択図】      図１
2015033024.tif 000002
【特許請求の範囲】
【請求項１】
多数の伝送信号を一つの回線で伝送している多重伝送装置において、障害信号を前記伝送信号に挿入する強制障害挿入手段と、外部からの命令により前記強制障害挿入手段へ前記障害信号の挿入を指示する制御部とを備えていることを特徴とする多重伝送装置。
【請求項２】
前記多重伝送装置は、ＳＤＨ（Ｓｙｎｃｈｒｏｎｏｕｓ  Ｄｉｇｉｔａｌ  Ｈｉｅｒａｒｃｈｙ）伝送装置であることを特徴とする請求項１に記載の多重伝送装置。
【請求項３】
前記多重伝送装置は、一定時間で規定されるフレームを有していて、前記障害信号の挿入時間は、１フレーム以上あることを特徴とする請求項１、２のいずれかに記載の多重伝送装置。
【請求項４】
多数の伝送信号を一つの回線で伝送している多重伝送装置を備えた冗長構成ネットワークであって、ネットワークの集中管理制御装置から障害信号の挿入の命令を受ける多重伝送装置の制御部と、前記制御部の指示により前記障害信号を前記伝送信号に挿入する強制障害挿入手段とを備えていることを特徴とする多重伝送装置を備えた冗長構成ネットワーク。
【請求項５】
前記冗長構成ネットワークは、ＳＮＣＰ（Ｓｕｂ−Ｎｅｔｗｏｒｋ  Ｃｏｎｎｅｃｔｉｏｎ  Ｐｒｏｔｅｃｔｉｏｎ）であることを特徴とする請求項４に記載の多重伝送装置を備えた冗長構成ネットワーク。
【請求項６】
前記多重伝送装置は、ＳＤＨ（Ｓｙｎｃｈｒｏｎｏｕｓ  Ｄｉｇｉｔａｌ  Ｈｉｅｒａｒｃｈｙ）伝送装置であることを特徴とする請求項４、５のいずれかに記載の多重伝送装置を備えた冗長構成ネットワーク。
【請求項７】
前記多重伝送装置は、一定時間で規定されるフレームを有していて、前記障害信号の挿入時間は、１フレーム以上あることを特徴とする請求項５から６のいずれかに記載の多重伝送装置を備えた冗長構成ネットワーク。
【請求項８】
多数の伝送信号を一つの回線で伝送している多重伝送装置を備えた冗長構成ネットワークの障害信号の挿入方法であって、外部からの命令により前記多重伝送装置に障害信号の挿入を指示する手順と、前記伝送信号に前記障害信号を挿入する手順とを含むことを特徴とする冗長構成ネットワークの障害信号の挿入方法。
【請求項９】
前記冗長構成ネットワークは、ＳＮＣＰ（Ｓｕｂ−Ｎｅｔｗｏｒｋ  Ｃｏｎｎｅｃｔｉｏｎ  Ｐｒｏｔｅｃｔｉｏｎ）であることを特徴とする請求項８に記載の冗長構成ネットワークの障害信号の挿入方法。
【発明の詳細な説明】
【技術分野】
【０００１】
本発明は、多重伝送装置、多重伝送装置を備えた冗長構成ネットワークおよび冗長構成ネットワークの障害信号の挿入方法に関する。
【背景技術】
【０００２】
近年、ＳＤＨ（Ｓｙｎｃｈｒｏｎｏｕｓ  Ｄｉｇｉｔａｌ  Ｈｉｅｒａｒｃｈｙ）多重伝送装置を備えた冗長構成のネットワークが構成されている。
【０００３】
伝送装置は、伝送信号を遠くまで伝えるための装置である。一般的に、伝送装置は、信号変換、多重化、信号伝達、伝送媒体保護、中継、分離、信号逆変換など機能を備えている。
【０００４】
ＳＤＨは、光ファイバーを用いた高速デジタル通信方式の国際規格であり、インターネットサービスプロバイダ間を結ぶインターネットのバックボーン回線などに用いられる。
【０００５】
ＳＤＨの技術は、ＴＴＣ標準  Ｓｔａｎｄａｒｄ  ＪＴ−Ｇ７０７  同期デジタルハイアラーキのＮＮＩ  〔Ｎｅｔｗｏｒｋ  Ｎｏｄｅ  Ｉｎｔｅｒｆａｃｅ  ｆｏｒ  ｔｈｅ  Ｓｙｎｃｈｒｏｎｏｕｓ  Ｄｉｇｉｔａｌ  Ｈｉｅｒａｒｃｈｙ（ＳＤＨ）〕  第７版  ２００６年１１月２７日制定  社団法人  情報通信技術委員会  ＴＨＥ  ＴＥＬＥＣＯＭＭＵＮＩＣＡＴＩＯＮ  ＴＥＣＨＮＯＬＯＧＹ  ＣＯＭＭＩＴＥＥ  に一例が開示されている。
【０００６】
また、冗長構成のネットワークの一例として、運用と予備の２つの伝送経路を用いるＳＮＣＰ（Ｓｕｂ−Ｎｅｔｗｏｒｋ  Ｃｏｎｎｅｃｔｉｏｎ  Ｐｒｏｔｅｃｔｉｏｎ）の技術がある。
【０００７】
ＳＮＣＰは、送信側の伝送装置が２つの伝送経路に対して伝送信号を送信し、受信側の伝送装置がどちらの伝送経路を運用回線にするかを選択する冗長方式である。
【０００８】
多重伝送装置を備えた冗長構成のネットワークにおいて、装置の移設等により１つの伝送経路に回線障害を伴う工事（以下、支障移転工事）を実施する場合がある。その伝送経路は、複数のチャネルを持った多重伝送信号が収容されている。一般的に作業者は、支障移転工事を実施しても回線障害の影響が無いように、予めもう１つの伝送経路に多重伝送信号の運用回線を切り替えておく。
【０００９】
支障移転工事をする場合、多重伝送信号を収容している伝送ケーブルを抜去して、運用回線を切り替える方法を説明する。
【００１０】
図面を参照して構成と動作を詳細に説明する。
【００１１】
図４は背景技術におけるＳＤＨ多重伝送装置を備えたＳＮＣＰ冗長構成のネットワークの一例を示すブロック図である。
【００１２】
図４に示すように、ＳＮＣＰ冗長構成のネットワークは、多重伝送装置Ａ４０１、多重伝送装置Ｂ４０２、多重伝送装置Ｃ４０３、および多重伝送装置Ｄ４０４と、集中監視制御装置４００とを備えている。
【００１３】
ルートＸは、多重伝送装置Ａ４０１から多重伝送装置Ｂ４０２を通って多重伝送装置Ｄ４０４へ伝送信号を送る伝送経路である。
【００１４】
ルートＹは、多重伝送装置Ａ４０１から多重伝送装置Ｃ４０３を通って多重伝送装置Ｄ４０４へ伝送信号を送る伝送経路である。
【００１５】
ＳＮＣＰ冗長構成のネットワークは、ルートＸとルートＹの２つの伝送経路を持っている。
【００１６】
集中管理制御装置４００は、ＳＤＨ多重伝送装置の制御部と管理用のネットワークで接続されている。
【００１７】
集中管理制御装置４００は、サーバとＰＣ端末で構成されている。ＰＣ端末にてＳＤＨ多重伝送装置のアラーム情報や切り替え情報など、保守に必要な情報を表示させることができる。
【００１８】
多重伝送装置Ａ４０１は、多重伝送装置Ａ４０１を制御する制御部４１６と、受信インターフェース４１１と、スイッチ４１３と、第１の送信インターフェース４１４および第２の送信インターフェース４１５とを備えている。
【００１９】
受信インターフェース４１１は、多重伝送信号を受信し、時分割で多重化されている多重伝送信号を伝送信号に分離し、スイッチ４１３へ送信する。
【００２０】
時分割で多重化されている多重伝送信号は、複数の伝送信号を時間的に配列して、１つの伝送経路で伝送される信号である。
【００２１】
スイッチ４１３は、伝送信号を受信インターフェース４１１から受信し、伝送信号を第１の送信インターフェース４１４および第２の送信インターフェース４１５へ送信する。
【００２２】
第１の送信インターフェース４１４は、伝送信号をスイッチ４１３から受信し、伝送信号を時分割で多重化して、多重伝送信号を生成し、多重伝送装置Ｂ４０２に送信する。
【００２３】
第２の送信インターフェース４１５は、伝送信号をスイッチ４１３から受信し、伝送信号を時分割で多重化して、多重伝送信号を生成し、多重伝送装置Ｃ４０３に送信する。
【００２４】
多重伝送装置Ｂ４０２は、多重伝送装置Ｂ４０２を制御する制御部４２６と、受信インターフェース４２１と、スイッチ４２３と、送信インターフェース４２４とを備えている。
【００２５】
図のように多重伝送装置Ａ４０１と多重伝送装置Ｂ４０２の間で支障移転工事を行う場合、作業者は多重伝送装置Ｂ４０２が設置してある局舎へ入局して、多重伝送装置Ｂ４０２に入力する伝送ケーブルを抜去する。伝送ケーブルを抜去すると、伝送信号は異常となるので、受信インターフェース４２１は、障害を検知して、伝送信号に障害信号を挿入する。
【００２６】
受信インターフェース４２１は、多重伝送信号を受信し、時分割で多重化されている多重伝送信号を伝送信号に分離し、スイッチ４２３へ送信する。
【００２７】
スイッチ４２３は、障害信号が挿入された伝送信号を受信インターフェース４２１から受信し、伝送信号を送信インターフェース４２４へ送信する。
【００２８】
送信インターフェース４２４は、伝送信号をスイッチ４２３から受信し、伝送信号を時分割に多重化して、多重伝送信号を生成し、多重伝送装置Ｄ４０４に送信する。
【００２９】
多重伝送装置Ｃ４０３は、多重伝送装置Ｃ４０３を制御する制御部４３６と、受信インターフェース４３１と、スイッチ４３３と、送信インターフェース４３４とを備えている。
【００３０】
受信インターフェース４３１は、多重伝送信号を受信し、時分割で多重化されている多重伝送信号を伝送信号に分離し、スイッチ４３３へ送信する。
【００３１】
スイッチ４３３は、伝送信号を受信インターフェース４３１から受信し、伝送信号を送信インターフェース４３４へ送信する。
【００３２】
送信インターフェース４３４は、伝送信号をスイッチ４３３から受信し、伝送信号を時分割に多重化して、多重伝送信号を生成し、多重伝送装置Ｄ４０４に送信する。
【００３３】
多重伝送装置Ｄ４０４は、多重伝送装置Ｄ４０４を制御する制御部４４６と、第１の受信インターフェース４４１および第２の受信インターフェース４４２と、スイッチ４４３と、送信インターフェース４４４とを備えている。
【００３４】
第１の受信インターフェース４４１は、多重伝送装置Ｂ４０２から障害信号が挿入された多重伝送信号を受信し、時分割で多重化されている多重伝送信号を伝送信号に分離し、スイッチ４４３へ送信する。
【００３５】
第２の受信インターフェース４４２は、多重伝送装置Ｃ４０３から多重伝送信号を受信し、時分割で多重化されている多重伝送信号を伝送信号に分離し、スイッチ４４３へ送信する。
【００３６】
スイッチ４４３は、第１の受信インターフェース４４１の伝送信号から障害信号を検知するが第２の受信インターフェース４４２の伝送信号から障害信号を検知しないので、第２の受信インターフェース４４２の伝送信号を選択し、運用回線を切り替える。
【００３７】
送信インターフェース４４４は、正常な伝送信号をスイッチ４４３から受信し、伝送信号を時分割に多重化して、多重伝送信号を送信する。
【００３８】
以上説明したように、多重伝送信号を収容している伝送ケーブルを抜去して、運用回線を切り替える方法は、作業者が伝送ケーブルを抜去して、ルートＸの伝送信号に障害信号を挿入する。その結果、冗長構成ネットワークは、障害信号が挿入されていないルートＹの伝送経路を運用回線に切り替える。この技術は、多数の伝送信号を１つの作業で運用回線を切り替えることができる効果がある。
【００３９】
なお、冗長構成ネットワークは、冗長切り替えが行われても運用回線が正常に動作しなければならない。ネットワークに故障等の要因があり、運用回線が正常に動作しない場合は、支障移転工事前に故障等の要因を取り除く。
【先行技術文献】
【非特許文献】
【００４０】
【非特許文献１】ＴＴＣ標準  Ｓｔａｎｄａｒｄ  ＪＴ−Ｇ７０７  同期デジタルハイアラーキのＮＮＩ〔Ｎｅｔｗｏｒｋ  Ｎｏｄｅ  Ｉｎｔｅｒｆａｃｅ  ｆｏｒ  ｔｈｅ  Ｓｙｎｃｈｒｏｎｏｕｓ  Ｄｉｇｉｔａｌ  Ｈｉｅｒａｒｃｈｙ（ＳＤＨ）〕第７版  ２００６年１１月２７日制定  社団法人  情報通信技術委員会  ＴＨＥ  ＴＥＬＥＣＯＭＭＵＮＩＣＡＴＩＯＮ  ＴＥＣＨＮＯＬＯＧＹ  ＣＯＭＭＩＴＥＥ
【発明の概要】
【発明が解決しようとする課題】
【００４１】
上述のような伝送ケーブルを抜去して運用回線を切り替える方法は、作業者が多重伝送装置に入力する伝送ケーブルを抜去して、伝送信号に障害信号を挿入するため、作業者が多重伝送装置を設置している局舎へ行って作業を実施する必要があった。また、ケーブル抜去の作業の人為的なミスやケーブル接続部にゴミ付着や故障の可能性があった。
【００４２】
本発明の目的は、この課題を解決した多重伝送装置、多重伝送装置を備えた冗長構成ネットワークおよび冗長構成ネットワークの障害信号の挿入方法を提供することにある。
【課題を解決するための手段】
【００４３】
本発明は、多数の伝送信号を一つの回線で伝送している多重伝送装置において、障害信号を前記伝送信号に挿入する強制障害挿入手段と、外部からの命令により前記強制障害挿入手段へ前記障害信号の挿入を指示する制御部とを備えていることを特徴とする。
【００４４】
本発明は、多数の伝送信号を一つの回線で伝送している多重伝送装置を備えた冗長構成ネットワークであって、ネットワークの集中管理制御装置から障害信号の挿入の命令を受ける多重伝送装置の制御部と、前記制御部の指示により前記障害信号を前記伝送信号に挿入する強制障害挿入手段とを備えていることを特徴とする。
【００４５】
本発明は、多数の伝送信号を一つの回線で伝送している多重伝送装置を備えた冗長構成ネットワークの障害信号の挿入方法であって、外部からの命令により前記多重伝送装置に障害信号の挿入を指示する手順と、前記伝送信号に前記障害信号を挿入する手順とを含むことを特徴とする。
【発明の効果】
【００４６】
本発明は、外部からの命令により、多重伝送装置に障害信号を挿入させているため、ケーブルを抜去する作業が必要なく、作業ミスがなくなる。本発明は遠隔操作が可能なので、人が移動することなく障害信号を挿入することができる。
【図面の簡単な説明】
【００４７】
【図１】本発明の第１の実施形態におけるＳＤＨ多重伝送装置の構成を示すブロック図である。
【図２】本発明の第１の実施形態におけるＳＤＨ多重伝送装置を備えたＳＮＣＰ冗長構成のネットワークの一例を示すブロック図である。
【図３】本発明の第１の実施形態における冗長構成のネットワークの障害信号挿入手順の一例を示すフローチャートである。
【図４】背景技術におけるＳＤＨ多重伝送装置を備えたＳＮＣＰ冗長構成のネットワークの一例を示すブロック図である。
【発明を実施するための形態】
【００４８】
以下、本発明の実施形態について図面を参照して詳細に説明する。
（第１の実施形態）
図１は、本発明の第１の実施形態におけるＳＤＨ多重伝送装置の構成を示すブロック図である。
【００４９】
図１に示すように、多重伝送装置１００は、多重伝送装置１００を制御する制御部１０１と、受信インターフェース１０２と、スイッチ１０３と、送信インターフェース１０４とを備えている。
【００５０】
受信インターフェース１０２は、ポート１０５と、信号終端部１０６と、障害検知部１０９と、障害情報挿入部１１０と、強制障害挿入部１１１とを備えている。
【００５１】
ポート１０５は、多重伝送信号１２１を受信し、信号終端部１０６へ送信する。
【００５２】
信号終端部１０６は、時分割で多重化されている多重伝送信号を伝送信号に分離し、スイッチ１０３へ送信する。
【００５３】
スイッチ１０３は、伝送信号を信号終端部１０６から受信し、送信インターフェース１０４へ送信する。
【００５４】
送信インターフェース１０４は、伝送信号をスイッチ１０３から受信し、伝送信号を時分割で多重化して、多重伝送信号１２２を送信する。
【００５５】
障害検知部１０９は、ポート１０５の多重伝送信号を監視する。障害検知部１０９は、信号の欠損等の障害が発生している間、障害情報挿入部１１０へ障害が発生していることを通知する。
【００５６】
制御部１０１は、オペレータの操作に従って、強制障害挿入部１１１へ、強制障害挿入の要求および障害挿入する時間を命令する。
【００５７】
強制障害挿入部１１１は、命令された障害挿入する時間の間、障害情報挿入部１１０へ障害が発生していることを通知する。
【００５８】
障害情報挿入部１１０は、障害が発生していると通知されている間、信号終端部１０６で分離した伝送信号に、障害信号を挿入する。
【００５９】
障害信号は、障害検知部１０９が障害情報挿入部１１０へ障害が発生していることを通知する際の信号と同じである。
【００６０】
障害情報挿入部１１０で挿入された障害信号は、図示していない下流の多重伝送装置でＡＩＳ（Ａｌａｒｍ  Ｉｎｄｉｃａｔｉｏｎ  Ｓｉｇｎａｌ）として検出される。下流の多重伝送装置は伝送信号に障害が発生していることを認識することができる。
【００６１】
以上の構成により、本発明は、伝送信号に障害信号を挿入している。
【００６２】
次に、図１に示したＳＤＨ多重伝送装置を備えた冗長構成ネットワークの構成を参照し、運用回線の切り替え動作を説明する。
【００６３】
図２は本発明の第１の実施形態におけるＳＤＨ多重伝送装置を備えたＳＮＣＰ冗長構成のネットワークの一例を示すブロック図である。
【００６４】
図２に示すように、ＳＮＣＰ冗長構成のネットワークは、多重伝送装置Ａ２０１、多重伝送装置１００、多重伝送装置Ｃ２０３、および多重伝送装置Ｄ２０４と、集中監視制御装置２００とを備えている。
【００６５】
ルートＸは、多重伝送装置Ａ２０１から多重伝送装置１００を介して多重伝送装置Ｄ２０４へ伝送信号を送る伝送経路である。
【００６６】
ルートＹは、多重伝送装置Ａ２０１から多重伝送装置Ｃ２０３を介して多重伝送装置Ｄ２０４へ伝送信号を送る伝送経路である。
【００６７】
ＳＮＣＰ冗長構成のネットワークは、ルートＸとルートＹの２つの伝送経路を持っている。
【００６８】
集中管理制御装置２００は、ＳＤＨ多重伝送装置の制御部と管理用のネットワークで接続されている。
【００６９】
集中管理制御装置２００は、サーバとＰＣ端末で構成されている。ＰＣ端末にてＳＤＨ多重伝送装置のアラーム情報や切り替え情報など、保守に必要な情報を表示させることができる。
【００７０】
更に、オペレータは集中管理制御装置を操作して、集中管理制御装置２００から多重伝送装置の制御部に命令することができる。
【００７１】
多重伝送装置Ａ２０１は、多重伝送装置Ａ２０１を制御する制御部２１６と、受信インターフェース２１１と、スイッチ２１３と、第１の送信インターフェース２１４および第２の送信インターフェース２１５とを備えている。
【００７２】
受信インターフェース２１１は、多重伝送信号を受信し、時分割で多重化されている多重伝送信号を伝送信号に分離し、スイッチ２１３へ送信する。
【００７３】
スイッチ２１３は、伝送信号を受信インターフェース２１１から受信し、伝送信号を第１の送信インターフェース２１４および第２の送信インターフェース２１５へ送信する。
【００７４】
第１の送信インターフェース２１４は、伝送信号をスイッチ２１３から受信し、伝送信号を時分割で多重化して、多重伝送信号を生成し、多重伝送装置１００に送信する。
【００７５】
第２の送信インターフェース２１５は、伝送信号をスイッチ２１３から受信し、伝送信号を時分割で多重化して、多重伝送信号を生成し、多重伝送装置Ｃ２０３に送信する。
【００７６】
多重伝送装置１００は、多重伝送装置１００を制御する制御部１０１と、受信インターフェース１０２と、スイッチ１０３と、送信インターフェース１０４とを備えている。
【００７７】
受信インターフェース１０２は、多重伝送信号を受信し、時分割で多重化されている多重伝送信号を伝送信号に分離し、スイッチ１０３へ送信する。
【００７８】
更に、受信インターフェース１０２は、制御部１０１から命令を受ける強制障害挿入部１１１を備えている。
【００７９】
図のように多重伝送装置Ａ２０１と多重伝送装置１００の間で支障移転工事を行う場合、オペレータは集中管理制御装置を操作して、集中管理制御装置２００から多重伝送装置１００の制御部１０１に、強制障害挿入の要求および障害挿入する時間を命令する。
【００８０】
強制障害挿入部１１１は、制御部１０１の命令に従って、多重伝送装置１００の伝送信号に障害信号を挿入する。
【００８１】
スイッチ１０３は、障害信号が挿入された伝送信号を受信インターフェース１０２から受信し、伝送信号を送信インターフェース１０４へ送信する。
【００８２】
送信インターフェース１０４は、伝送信号をスイッチ１０３から受信し、伝送信号を時分割に多重化して、多重伝送信号を生成し、多重伝送装置Ｄ２０４に送信する。
【００８３】
多重伝送装置Ｃ２０３は、多重伝送装置Ｃ２０３を制御する制御部２３６と、受信インターフェース２３１と、スイッチ２３３と、送信インターフェース２３４とを備えている。
【００８４】
受信インターフェース２３１は、多重伝送信号を受信し、時分割で多重化されている多重伝送信号を伝送信号に分離し、スイッチ２３３へ送信する。
【００８５】
スイッチ２３３は、伝送信号を受信インターフェース２３１から受信し、伝送信号を送信インターフェース２３４へ送信する。
【００８６】
送信インターフェース２３４は、伝送信号をスイッチ２３３から受信し、伝送信号を時分割に多重化して、多重伝送信号を生成し、多重伝送装置Ｄ２０４に送信する。
【００８７】
多重伝送装置Ｄ２０４は、多重伝送装置Ｄ２０４を制御する制御部２４６と、第１の受信インターフェース２４１および第２の受信インターフェース２４２と、スイッチ２４３と、送信インターフェース２４４とを備えている。
【００８８】
第１の受信インターフェース２４１は、多重伝送装置１００から障害信号が挿入された多重伝送信号を受信し、時分割で多重化されている多重伝送信号を伝送信号に分離し、スイッチ２４３へ送信する。
【００８９】
第２の受信インターフェース２４２は、多重伝送装置Ｃ２０３から多重伝送信号を受信し、時分割で多重化されている多重伝送信号を伝送信号に分離し、スイッチ２４３へ送信する。
【００９０】
スイッチ２４３は、第１の受信インターフェース２４１の伝送信号から障害信号を検知し第２の受信インターフェース２４２の伝送信号から障害信号を検知しないので、第２の受信インターフェース２４２の伝送信号を選択し、運用回線を切り替える。
【００９１】
送信インターフェース２４４は、正常な伝送信号をスイッチ２４３から受信し、伝送信号を時分割に多重化して、多重伝送信号を送信する。
【００９２】
以上説明したように、オペレータは、ＳＮＣＰ冗長構成ネットワークのルートＸの伝送信号に障害信号を挿入する。その結果、冗長構成ネットワークは、障害信号が挿入されていないルートＹに伝送経路を運用回線に切り替える。
【００９３】
次に、フローチャートを使って、図２に示した冗長構成ネットワークの障害信号挿入手順の一例を説明する。
【００９４】
図３は、本発明の第１の実施形態における冗長構成のネットワークの障害信号挿入手順の一例を示すフローチャートである。
【００９５】
図３に示すように、オペレータは、集中管理制御装置２００から多重伝送装置１００の制御部１０１に強制障害要求を命令する。強制障害要求には、障害挿入時間も含む（ステップＳ３０１）。
【００９６】
制御部１０１は、強制傷害挿入部１１１に強制障害挿入要求を命令する（ステップＳ３０２）。
【００９７】
強制障害挿入部１１１は、強制障害挿入時間の間、障害情報挿入部１１０に障害信号を通知する（ステップＳ３０３）。
【００９８】
障害情報挿入部１１０は、伝送信号に障害信号を挿入する（ステップＳ３０４）。そして、障害信号挿入手順は、終了する。
【００９９】
なお、障害信号を挿入する時間は、多重伝送装置Ｄ２０４が、障害信号のある伝送信号をＡＩＳ（Ａｌａｒｍ  Ｉｎｄｉｃａｔｉｏｎ  Ｓｉｇｎａｌ）として検出される最小限必要な時間でよい。
【０１００】
次に、ＳＤＨ多重伝送装置の最小限必要な時間の一例を紹介する。障害信号が３フレーム連続したときに、ＡＩＳとして検出する仕様の場合、最小限必要な時間は、３フレーム×１２５ｕＳ／フレーム＝３７５ｕＳ（ｍｉｃｒｏ  ｓｅｃｏｎｄ）である。１フレームの時間は、１２５ｕＳである（非特許文献１参照）。
【０１０１】
以上説明したように、本発明は、外部からの命令により、多重伝送装置に障害信号を挿入させているため、作業者が多重伝送装置を設置している局舎へ行ってケーブルを抜去する必要がない。ケーブル抜去の作業の人為的なミスやケーブル接続部にゴミ付着や故障の可能性がなくなる。本発明は遠隔操作が可能なので、人が移動することなく障害信号を挿入することができる。更に、障害信号を挿入する時間は最小限必要な時間（一例では３７５ｕＳ）でよい。
【０１０２】
他の実施例として、多重伝送装置の強制障害挿入部は、制御部と一体化していてもよいし、冗長構成ネットワークの全ての多重伝送装置に備えていてもよい。
【０１０３】
尚、本願発明は、上述の実施形態に限定されるものではなく、本願発明の要旨を逸脱しない範囲で種々変更、変形して実施することが出来る。
【符号の説明】
【０１０４】
１００    多重伝送装置
１０１、２１６、２３６、２４６、４１６、４２６、４３６、４４６    制御部
１０２、２１１、２３１、４１１、４２１、４３１    受信インターフェース
１０３、２１３、２３３、２４３、４１３、４２３、４３３、４４３    スイッチ
１０４、２３４、２４４、４２４、４３４、４４４    送信インターフェース
１０５    ポート
１０６    信号終端部
１０９    障害検知部
１１０    障害情報挿入部
１１１    強制障害挿入部
１２１、１２２    多重伝送信号
２００、４００    集中監視制御装置
２０１、４０１    多重伝送装置Ａ
４０２    多重伝送装置Ｂ
２０３、４０３    多重伝送装置Ｃ
２０４、４０４    多重伝送装置Ｄ
２１４、４１４    第１の送信インターフェース
２１５、４１５    第２の送信インターフェース
２４１、４４１    第１の受信インターフェース
２４２、４４２    第２の受信インターフェース
【図１】
2015033024.tif 000003
【図２】
2015033024.tif 000004
【図３】
2015033024.tif 000005
【図４】
2015033024.tif 000006